(57)【要約】【課題】蓄熱材を好適に保持可能な容器を提供する。【解決手段】容器１は、平面視略矩形状の底壁部５、及び、底壁部５の各側辺部から上方に延出する側壁部６を具備する容器本体２と、容器本体２の内側空間を上下に仕切る仕切り板３とを備えている。底壁部５の上面には、相対する一対の第１側壁部１４とそれぞれ隣接する部位において、略板状の保冷材１２を第１側壁部１４の内面に沿わせて起立させた姿勢で設置した場合に、その下部を収容し、当該保冷材１２の下部の容器本体２の内方への変位を規制する下部収容部１３が設けられている。仕切り板３は、第１側壁部１４との間に、下部収容部１３に下部が収容された保冷材１２が挿通される隙間を形成し、かつ、当該隙間に挿通された保冷材１２の容器本体２の内方への変位を規制する挿通部１８を備えている。【選択図】      図４
2019156472.tif 000002
【特許請求の範囲】
【請求項１】
平面視略矩形状の底壁部、及び、前記底壁部の各側辺部から上方に延出する側壁部を具備し、上方に開口する箱状の容器本体と、
前記容器本体の内側空間を上下に仕切る仕切り板とを備える容器において、
前記底壁部の上面には、少なくとも相対する一対の前記側壁部とそれぞれ隣接する部位において、略板状の蓄熱材を前記側壁部の内面に沿わせて起立させた姿勢で設置した場合に、その下部を収容し、当該蓄熱材の下部の前記容器本体の内方への変位を規制する下部収容部が設けられ、
前記容器本体のうち少なくとも相対する一対の前記側壁部の内面側には、前記仕切り板を前記下部収容部よりも上方位置において支持する段部が設けられ、
前記段部に支持された前記仕切り板は、水平方向における変位が規制され、
前記仕切り板は、前記側壁部との間に、前記下部収容部に下部が収容された蓄熱材が挿通される隙間を形成し、かつ、当該隙間に挿通された蓄熱材の前記容器本体の内方への変位を規制する挿通部を備えていることを特徴とする容器。
【請求項２】
前記下部収容部、及び、前記挿通部の少なくとも一方において、前記挿通部に挿通され、下部が前記下部収容部に収容された蓄熱材の、当該蓄熱材と対向して延びる前記側壁部の横幅方向への変位を規制する規制部が設けられていることを特徴とする請求項１に記載の容器。
【請求項３】
前記底壁部の上面には、前記容器本体に収容される物品の下部を収容し、当該物品の水平方向における変位を規制する物品下部収容部が設けられ、
前記仕切り板には、前記物品下部収容部に下部が収容された物品の挿通を許容し、かつ、当該挿通された物品の水平方向における変位を規制する物品挿通部が設けられていることを特徴とする請求項１又は２に記載の容器。
【請求項４】
前記仕切り板を装着し、蓄熱材を前記下部収容部、及び、前記挿通部にかけて設置した前記容器本体同士を上下に積み重ねた場合に、
上側の前記容器本体の下部が、下側の前記容器本体の内側に挿入され、上側の前記容器本体が、下側の前記容器本体に支持されるとともに、
上下方向において、上側の前記容器本体の下側の前記容器本体への挿入長が、蓄熱材の上下の幅よりも短くなっていることを特徴とする請求項１乃至３のいずれかに記載の容器。
【発明の詳細な説明】
【技術分野】
【０００１】
本発明は、物品の運搬等に使用される容器に関するものである。
【背景技術】
【０００２】
従来、保冷材等の蓄熱材を収納し、内部の温度管理を図る容器が知られている。また、略矩形板状の底壁部、及び、底壁部の各側辺部から上方に延びる側壁部を具備する容器本体と、容器本体の内側空間を上下に仕切る仕切り板とを備え、側壁部の内面と、仕切り板との間に隙間を形成し、当該隙間に蓄熱材を挿通状態として保持するといった技術がある（例えば、特許文献１等参照。）。
【先行技術文献】
【特許文献】
【０００３】
【特許文献１】特開２００５−２４７４１１号公報
【発明の概要】
【発明が解決しようとする課題】
【０００４】
ところで、容器本体の側壁部の内面と、仕切り板との間の隙間に挿通状態とされた蓄熱材は、仕切り板によって容器本体の内方への変位が規制されるようになっている。しかしながら、仕切り板から離間している蓄熱材の下端部等については、容器本体の内方に変位してしまうことが懸念される。特に、特許文献１の容器には、容器本体の側壁部の内面において、底壁部よりも上方位置で蓄熱材の下面を支持する段部が設けられており、当該段部から蓄熱材が容器本体の内方に脱落した場合、内容物を損傷させてしまうおそれがある。さらに、容器本体が発泡樹脂により構成されるような場合には、長期使用等により摩耗することが懸念され、前記段部が摩耗した場合には、蓄熱材を好適に支持することができなくなってしまうおそれがある。
【０００５】
本発明は、上記例示した問題点等を解決するためになされたものであって、その目的は、蓄熱材を好適に保持可能な容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．平面視略矩形状の底壁部、及び、前記底壁部の各側辺部から上方に延出する側壁部を具備し、上方に開口する箱状の容器本体と、
前記容器本体の内側空間を上下に仕切る仕切り板とを備える容器において、
前記底壁部の上面には、少なくとも相対する一対の前記側壁部とそれぞれ隣接する部位において、略板状の蓄熱材を前記側壁部の内面に沿わせて起立させた姿勢で設置した場合に、その下部を収容し、当該蓄熱材の下部の前記容器本体の内方への変位を規制する下部収容部が設けられ、
前記容器本体のうち少なくとも相対する一対の前記側壁部の内面側には、前記仕切り板を前記下部収容部よりも上方位置において支持する段部が設けられ、
前記段部に支持された前記仕切り板は、水平方向における変位が規制され、
前記仕切り板は、前記側壁部との間に、前記下部収容部に下部が収容された蓄熱材が挿通される隙間を形成し、かつ、当該隙間に挿通された蓄熱材の前記容器本体の内方への変位を規制する挿通部を備えていることを特徴とする容器。
【０００８】
手段１によれば、蓄熱材を側壁部の内面に沿わせて起立させた姿勢で設置する構成において、蓄熱材の容器本体の内方への変位を、底壁部の下部収容部と、仕切り板の挿通部とにおいて規制することができる。つまり、蓄熱材の容器本体の内方への変位を蓄熱材の高さ方向における２カ所以上で規制することができ、蓄熱材が容器本体の内方へ傾倒する等の事態をより確実に防止することができる。従って、容器本体に設置された蓄熱材を好適に保持することができ、例えば、容器の運搬中の振動や衝撃等により、蓄熱材が設置場所から外れて容器本体内を変位してしまうといった事態を回避することができる。結果として、蓄熱材が好適に保持されないことにより、容器に収容された物品が損傷するといった事態を防止することができる。
【０００９】
また、蓄熱材の下部を収容する下部収容部が底壁部の上面に設けられている。このため、万一、蓄熱材の下部が下部収容部から外れたとしても、例えば、下部収容部が底壁部よりも上方に離間して設けられる場合のように、蓄熱材が比較的長い距離を落下するようなことはなく、蓄熱材が容器に収容された物品に勢いよく衝突するといった事態を回避することができる。さらに、蓄熱材の下部が底壁部の上面に配置されることで、蓄熱材のうち仕切り板の下方の空間に位置する部位の容積を十分に確保することができ、蓄熱材によって仕切り板の下方の空間をより好適に温度管理することができる。加えて、例えば、下部収容部を側壁部の高さ方向中間位置に設けるような場合に比べ、下部収容部による蓄熱材の下部の容器本体の内方への変位を防止する構成（例えば、下部収容部の底面から上方に突出する凸部）を比較的自由に（比較的厚肉とし）、かつ、比較的簡単に（金型の複雑化等を抑制しつつ）設けることができる。
【００１０】
尚、前記段部に支持された前記仕切り板の水平方向における変位を規制する構成（規制手段）については特に限定されるものではなく、例えば、仕切り板が４つの側壁部の内面のそれぞれに当接、又は、近接するように構成してもよいし、相対する一対の側壁部に対し、容器本体の内方及び上方に開口する凹部を設ける一方で、仕切り板に対し、前記凹部に挿入される凸部を設けるように構成してもよい。また、蓄熱材としては、容器本体の内側空間を外気よりも低い温度に保つ保冷材、及び、外気よりも高い温度に保つ保温材のどちらでもよい。加えて、容器は、容器本体の開口部を閉塞する蓋部材を備えていることとしてもよい。また、容器本体、及び、仕切り板（並びに蓋部材）は、発泡合成樹脂により構成されていることとしてもよい。当該構成を採用することで、断熱性、及び、保温性の向上を図ることができる。特に、仕切り板が発泡材とされることにより、仕切り板の下方の領域の保温性の向上を図る（例えば、蓋部材が取外された際の温度変化の抑制を図る）ことができ、仕切り板の下方の領域の温度管理をより好適に行うことができる。
【００１１】
手段２．前記下部収容部、及び、前記挿通部の少なくとも一方において、前記挿通部に挿通され、下部が前記下部収容部に収容された蓄熱材の、当該蓄熱材と対向して延びる前記側壁部の横幅方向への変位を規制する規制部が設けられていることを特徴とする手段１に記載の容器。
【００１２】
手段２によれば、容器本体に設置された蓄熱材の容器本体に対する相対変位をより確実に防止することができ、例えば、蓄熱材が収容状態にあるにもかかわらず変位することに起因して、その周辺部（下部収容部等）が劣化（摩耗、変形等）し易くなるといった事態を抑止することができる。また、蓄熱材の位置決めをより確実に行うことができ、蓄熱材による容器本体内の温度管理に支障が生じてしまうといった事態を防止することができる。
【００１３】
手段３．前記底壁部の上面には、前記容器本体に収容される物品の下部を収容し、当該物品の水平方向における変位を規制する物品下部収容部が設けられ、
前記仕切り板には、前記物品下部収容部に下部が収容された物品の挿通を許容し、かつ、当該挿通された物品の水平方向における変位を規制する物品挿通部が設けられていることを特徴とする手段１又は２に記載の容器。
【００１４】
手段３によれば、容器に収容される物品に関しても、水平方向における変位を物品の高さ方向における２カ所以上で規制することができる。従って、物品を安定して運搬等することができ、例えば、物品が傾倒したり、物品同士が接触したりして、物品が損傷する等の事態を防止することができる。
【００１５】
手段４．前記仕切り板を装着し、蓄熱材を前記下部収容部、及び、前記挿通部にかけて設置した前記容器本体同士を上下に積み重ねた場合に、
上側の前記容器本体の下部が、下側の前記容器本体の内側に挿入され、上側の前記容器本体が、下側の前記容器本体に支持されるとともに、
上下方向において、上側の前記容器本体の下側の前記容器本体への挿入長が、蓄熱材の上下の幅よりも短くなっていることを特徴とする手段１乃至３のいずれかに記載の容器。
【００１６】
手段４によれば、容器本体に仕切り板を装着し、かつ、蓄熱材を設置した状態で、上側の容器本体の下部を下側の容器本体に挿入させつつ、容器本体同士を上下に積み重ねる（ネスティングする）ことができる。従って、容器本体、仕切り板、及び、蓄熱材を別々にして保管する場合（例えば、蓄熱材や仕切り板を取外さなければ容器本体をネスティングすることができない場合）等に比べ、利便性の向上を図りつつ、物品を収容していない状態における容器の運搬・保管効率の向上等を図ることができる。
【００１７】
また、容器本体をネスティングした場合の上側の容器本体の下側の容器本体への挿入長が、蓄熱材の上下幅よりも短くなっている。このため、蓄熱材の上下幅を十分に確保しつつ、蓄熱材を設置した容器本体をネスティング可能に構成することができる。加えて、容器本体のネスティング状態において、上側の容器本体が、下側の容器本体に当接して支持されるようになっている。このため、例えば、上側の容器本体が、下側の容器本体に設置された蓄熱材や仕切り板に支持されるような構成に比べ、ネスティング状態の安定化、蓄熱材及び仕切り板の損傷等の防止等を図ることができる。
【図面の簡単な説明】
【００１８】
【図１】容器の斜視図である。
【図２】容器の一部断面を含む斜視図である。
【図３】容器の分解斜視図である。
【図４】容器本体に対し、仕切り板を装着し、保冷材を設置し、物品を収容した状態を示す一部断面を含む斜視図である。
【図５】容器本体に対し、仕切り板を装着し、保冷材を設置した状態を示す平面図である。
【図６】容器本体に対し、仕切り板を装着し、保冷材を設置した状態を示す断面図である。
【図７】容器本体のネスティング状態を示す断面図である。
【発明を実施するための形態】
【００１９】
以下に、一実施形態について図面を参照して説明する。図１〜図３等に示すように、容器１は、上方に開口する箱状の容器本体２と、容器本体２の内側空間を上下に仕切る仕切り板３と、容器本体２の開口部を閉鎖可能な蓋部材４とを備えている。本実施形態の容器本体２、仕切り板３、及び、蓋部材４は、それぞれ発泡ポリプロピレンにより一体的に形成されている。
【００２０】
容器本体２は、略矩形板状の底壁部５、及び、底壁部５の各側辺部から上方に延出する側壁部６を具備している。本実施形態の側壁部６は、底壁部５から上方に延出する下段壁部７と、下段壁部７の外面の上縁部から外方に延出する張出し部８と、張出し部８の上面の先端縁から上方に延出する上段壁部９とを備えている。尚、図４、図６に示すように、本実施形態の張出し部８の下段壁部７からの延出長は、上段壁部９の厚み程度しかなく、下段壁部７の上面と、上段壁部９の内面とが連接するような格好となっている。
【００２１】
さて、図４に示すように、本実施形態の容器１は、液体用のボトル１１を複数本（本例では１２本）収容可能に構成されている。また、容器１は、容器本体２の内側空間を外気よりも低い温度に保つための蓄熱材としての保冷材１２を設置可能に構成されている。より具体的には、底壁部５の上面には、相対する一対の側壁部６とそれぞれ隣接する部位において、略矩形板状の保冷材１２を側壁部６の内面に沿わせて起立させた姿勢で設置した場合に、その下部を収容し、当該保冷材１２の下部の容器本体２の内方への変位を規制する下部収容部１３が設けられている。以下、側壁部６のうち、保冷材１２に対向して延びる側壁部６を「第１側壁部１４」とも称し、第１側壁部１４に直交して延びる側壁部６を「第２側壁部１５」とも称する。
【００２２】
さらに、底壁部５の上面には、容器本体２に収容されるボトル１１の下部を収容し、当該ボトル１１の水平方向における変位を規制する平面視略円形状の物品下部収容部１６が設けられている。物品下部収容部１６は、物品下部収容部１６に下部が収容されたボトル１１同士が離間するとともに、下部収容部１３に下部が収容された保冷材１２と、物品下部収容部１６に下部が収容されたボトル１１とが離間するように配置されている。また、下部収容部１３、及び、物品下部収容部１６は、底壁部５の上面において凹状に形成されており、下部収容部１３の底面、及び、物品下部収容部１６の底面は同じ高さ位置とされるとともに、下部収容部１３と、物品下部収容部１６との間が連通している。さらに、第２側壁部１５に隣接する物品下部収容部１６は、部分的に第２側壁部１５まで延在するように構成されている。
【００２３】
また、上記のように、本実施形態の側壁部６（第１側壁部１４、及び、第２側壁部１５）は、下段壁部７、張出し部８、及び、上段壁部９を備えて断面略鉤状に構成されており、図２、図４等に示すように、仕切り板３の下面が、下段壁部７の上面（以下、「段部１７」と称する）と当接して支持されるようになっている。本実施形態の段部１７は、容器本体２の内周面全体にわたり、同じ高さ位置で一続きに設けられている（図３参照）。さらに、図２、図４、図５等に示すように、段部１７に支持された仕切り板３は、一対の第１側壁部１４、及び、一対の第２側壁部１５に対してそれぞれ当接、又は、近接するように構成されており、容器本体２に対して水平方向における相対変位が規制されるようになっている。
【００２４】
加えて、図４、図６に示すように、上下方向において、下部収容部１３の底面と、段部１７（すなわち、段部１７に支持された仕切り板３の下面）との間の距離が、保冷材１２の上下幅よりも短くなっている。本実施形態では、保冷材１２の上下幅が、下部収容部１３の底面と、段部１７に支持された仕切り板３の上面との間の距離よりも若干長くなっている。
【００２５】
また、図４等に示すように、仕切り板３は、第１側壁部１４との間に、下部収容部１３に下部が収容された保冷材１２が挿通される隙間を形成し、かつ、当該隙間に挿通された保冷材１２の容器本体２の内方への変位を規制する挿通部１８を備えている。本実施形態の仕切り板３は、基本的には、容器本体２の内周形状に対応して平面視略矩形状をなしている。さらに、図３、図５等に示すように、本実施形態では、挿通部１８は、仕切り板３のうち各第１側壁部１４に対応する一対の第１対応側辺部１９において、当該第１対応側辺部１９の両端部を均等に残すようにして、第１対応側辺部１９の中央部を含む範囲に形成された凹部により構成されている。
【００２６】
加えて、図５、図６に示すように、挿通部１８の横幅は、保冷材１２の横幅よりも若干長く構成されている。すなわち、仕切り板３のうち、挿通部１８の両側方に突出している部位は、第１側壁部１４の段部１７に当接して支持される部位であるとともに、第１側壁部１４の上段壁部９の内面に当接して仕切り板３の水平方向における位置ずれを防止する部位であって、その挿通部１８側の辺部は、挿通部１８に挿通された保冷材１２の第１側壁部１４の横幅方向への変位を規制する部位となっている。以下、仕切り板３のうち、挿通部１８の両側方に突出している部位（特に、挿通部１８側の辺部）を「上段規制部２１」と称する。
【００２７】
さらに、図４、図６に示すように、本実施形態の底壁部５には、仕切り板３の上段規制部２１の下方に対応する位置、すなわち、下部収容部１３の両側方位置において、下部収容部１３の底面よりも上方に突出する下段規制部２２が設けられている。下段規制部２２により、下部が下部収容部１３に収容された保冷材１２の第１側壁部１４の横幅方向への変位が規制されるようになっている。尚、下段規制部２２は、底壁部５の上面よりも上方にまで突出し、第１側壁部１４、及び、第２側壁部１５の両方と連結されるようになっている。
【００２８】
また、図４等に示すように、仕切り板３には、各物品下部収容部１６に下部が収容されたボトル１１の挿通を許容し、かつ、当該挿通されたボトル１１の水平方向における変位を規制する平面視略円形状の物品挿通部２３が設けられている。本実施形態のボトル１１は、口の所が細く形成されているが、仕切り板３（物品挿通部２３）は、ボトル１１の細くなっている部位よりも下方の部位と当接し得るように構成されている。さらに、本実施形態では、ボトル１１のうち液体が収容されている部位の大部分が、仕切り板３の下方の領域に収容されるようになっている。
【００２９】
また、図７に示すように、本実施形態では、仕切り板３を装着し、保冷材１２を下部収容部１３、及び、挿通部１８にかけて設置した容器本体２同士を、上側の容器本体２の側壁部６の下部を、下側の容器本体２の内側に挿入させるようにして、上下に積み重ねる（ネスティングする）ことができるように構成されている。
【００３０】
より具体的には、容器本体２をネスティングした場合、上側の容器本体２の張出し部８の下面が、下側の容器本体２の側壁部６（上段壁部９）の上面と当接して支持されるようになっている。また、上側の容器本体２（底壁部５）の下面は、下側の容器本体２に装着された仕切り板３、及び、下側の容器本体２に設置された保冷材１２よりも上方に離間して配置されるように構成されている。さらに、本実施形態では、上下方向において、上側の容器本体２の下側の容器本体２への挿入長（底壁部５の下面と、張出し部８の下面との間の距離）が、保冷材１２の上下の幅よりも短くなっている。
【００３１】
加えて、図２、図３、図７に示すように、蓋部材４は、容器本体２の上段壁部９とほぼ同じ外周形状をなす略矩形板状の蓋本体２４と、蓋本体２４の下面から下方に突出し、蓋部材４を容器本体２に被せた場合に、容器本体２の内周側に嵌入する嵌入凸部２５と、蓋本体２４の上面の外周部位から上方に突出する外周突部２６とを備えている。図７に示すように、外周突部２６は、嵌入凸部２５の外周面よりも蓋本体２４の外周側に配置されており、蓋部材４を上下に積み重ねた場合に、上側の蓋部材４の嵌入凸部２５が、下側の蓋部材４の外周突部２６の内周側に収容されるようになっている。
【００３２】
また、図１、図３に示すように、第２側壁部１５の上段壁部９の外面には、作業者が容器１を持ち上げる際に指先を掛けることのできる指掛け部２７が設けられている。加えて、第２側壁部１５の上段壁部９の外面の横幅方向中央の上端部には、容器本体２に被せられた蓋部材４の下面側に指先を掛けるための指掛け補助凹部２８が設けられている。
【００３３】
以上詳述したように、本実施形態によれば、保冷材１２を第１側壁部１４の内面に沿わせて起立させた姿勢で設置する構成において、保冷材１２の容器本体２の内方への変位を、底壁部５の下部収容部１３と、仕切り板３の挿通部１８とにおいて規制することができる。つまり、保冷材１２の容器本体２の内方への変位を保冷材１２の高さ方向における２カ所以上で規制することができ、保冷材１２が容器本体２の内方へ傾倒する等の事態をより確実に防止することができる。従って、容器本体２に設置された保冷材１２を好適に保持することができ、例えば、容器１の運搬中の振動や衝撃等により、保冷材１２が設置場所から外れて容器本体２内を変位してしまうといった事態を回避することができる。結果として、保冷材１２が好適に保持されないことにより、容器１に収容されたボトル１１が損傷するといった事態を防止することができる。
【００３４】
また、保冷材１２の下部を収容する下部収容部１３が底壁部５の上面に設けられている。このため、万一、保冷材１２の下部が下部収容部１３から外れたとしても、例えば、下部収容部１３が底壁部５よりも上方に離間して設けられる場合のように、保冷材１２が比較的長い距離を落下するようなことはなく、保冷材１２が容器１に収容されたボトル１１に勢いよく衝突するといった事態を回避することができる。さらに、保冷材１２の下部が底壁部５の上面に配置されることで、保冷材１２のうち仕切り板３の下方の空間に位置する部位の容積を十分に確保することができ、保冷材１２によって仕切り板３の下方の空間をより好適に温度管理することができる。加えて、例えば、下部収容部１３を第１側壁部１４の下段壁部７の高さ方向中間位置に設けるような場合に比べ、下部収容部１３による保冷材１２の下部の容器本体２の内方への変位を防止する構成（下部収容部１３の底面から上方に突出する凸部）を比較的自由に（比較的厚肉とし）、かつ、比較的簡単に（金型の複雑化等を抑制しつつ）設けることができる。
【００３５】
尚、仕切り板３が段部１７に支持されることで、仕切り板３の水平方向における相対変位についても規制される状態となることから、仕切り板３（挿通部１８）により保冷材１２の変位を防止するといった作用効果が確実に奏される。また、保冷材１２が設置されていなくても、仕切り板３自体の水平方向における変位が規制されることから、保冷材１２の装着作業性の向上（保冷材１２が挿通部１８に挿通可能なように仕切り板３の位置を調整する作業をしなくても済む）を図ることができるとともに、上記実施形態では一対で設置されていた保冷材１２のうち一方、又は、両方を設置せずに、ボトル１１を収容して運搬する等の状況でも、仕切り板３により、保冷材１２、及び、ボトル１１の水平方向における変位を防止するといった作用効果が確実に奏される。さらに、容器本体２、及び、蓋部材４だけでなく、仕切り板３についても発泡ポリプロピレンにより構成されているため、仕切り板３の下方の領域の保温性の向上を図る（例えば、蓋部材４が取外された際の温度変化の抑制を図る）ことができ、仕切り板３の下方の領域の温度管理をより好適に行うことができる。
【００３６】
また、仕切り板３、及び、底壁部５には、挿通部１８に挿通され、下部が下部収容部１３に収容された保冷材１２の第１側壁部１４の横幅方向における相対変位を規制する上段規制部２１、及び、下段規制部２２が設けられている。このため、容器本体２に設置された保冷材１２の容器本体２に対する相対変位をより確実に防止することができ、例えば、保冷材１２が収容状態にあるにもかかわらず変位することに起因して、その周辺部（下部収容部１３等）が劣化（摩耗、変形等）し易くなるといった事態を抑止することができる。また、保冷材１２の位置決めをより確実に行うことができ、（例えば、保冷材１２が第１側壁部１４の左右一側部側に偏る等してしまって）保冷材１２による容器本体２内の温度管理に支障が生じてしまうといった事態を防止することができる。
【００３７】
さらに、底壁部５の上面には、容器本体２に収容されるボトル１１の下部を収容し、当該ボトル１１の水平方向における変位を規制する物品下部収容部１６が設けられ、仕切り板３には、物品下部収容部１６に下部が収容されたボトル１１の挿通を許容し、かつ、当該挿通されたボトル１１の水平方向における変位を規制する物品挿通部２３が設けられている。このため、容器１に収容されるボトル１１に関しても、水平方向における変位をボトル１１の高さ方向における２カ所以上で規制することができる。従って、ボトル１１を安定して運搬等することができ、例えば、ボトル１１が傾倒したり、ボトル１１同士が接触したりして、ボトル１１が損傷する等の事態を防止することができる。
【００３８】
加えて、本実施形態では、容器本体２に仕切り板３を装着し、かつ、保冷材１２を設置した状態で、容器本体２同士をネスティングすることができる。従って、容器本体２、仕切り板３、及び、保冷材１２を別々にして保管する場合（例えば、保冷材１２や仕切り板３を取外さなければ容器本体２をネスティングすることができない場合）等に比べ、利便性の向上を図りつつ、ボトル１１を収容していない状態における容器１の運搬・保管効率の向上等を図ることができる。
【００３９】
また、容器本体２をネスティングした場合の上側の容器本体２の下側の容器本体２への挿入長が、保冷材１２の上下幅よりも短くなっている。このため、保冷材１２の上下幅を十分に確保しつつ、保冷材１２を設置した容器本体２をネスティング可能に構成することができる。加えて、容器本体２のネスティング状態において、上側の容器本体２が、下側の容器本体２に当接して支持されるようになっている。このため、例えば、上側の容器本体２が、下側の容器本体２に設置された保冷材１２や仕切り板３に支持されるような構成に比べ、ネスティング状態の安定化、保冷材１２及び仕切り板３の損傷等の防止等を図ることができる。
【００４０】
尚、上記実施形態の記載内容に限定されず、例えば次のように実施してもよい。勿論、以下において例示しない他の応用例、変更例も当然可能である。
【００４１】
（ａ）上記実施形態では、ボトル１１が仕切り板３を上下に貫通するようにして収容される容器１として具体化されているが、容器１に収容される物品は特に限定されるものではなく、例えば、底壁部５が設置面とされる下段と、仕切り板３が設置面とされる上段とのそれぞれに対し、仕切り板３を上下に貫通することなく物品を設置可能に構成してもよい。この場合、物品挿通部２３は不要である。
【００４２】
また、上記実施形態では、蓄熱材として保冷材１２に具体化されているが、容器１の内側空間を外気よりも高い温度に保つための保温材に具体化することも可能である。尚、物品下部収容部１６、及び、物品挿通部２３の形状は、容器１に収容される物品に応じて適宜設計変更可能である。さらに、容器１に収容され、蓄熱材による温度管理が行われる物品に関しても特に限定されるものではなく、適宜変更可能である。加えて、物品同士を詰めて収容する場合等においては、物品挿通部２３や物品下部収容部１６を省略することも可能である。
【００４３】
さらに、上記実施形態では、仕切り板３が１枚のみであったが、同じ高さ位置において複数枚の仕切り板を並べて設置可能としてもよいし、異なる高さ位置において複数枚の仕切り板を設置可能（上下に複数の段部を設け、下側の段部を上側の段部よりも底壁部５の内周側に配置する）としてもよい。前者の構成を採用する場合（仕切り板を、物品挿通部を通る仮想ラインで分割した形状とする場合）には、くびれた部位のある物品のくびれた部位を仕切り板で保持することができ、後者の構成を採用する場合には、例えば、クランク状の物品を回動変位させることなく保持することができる。
【００４４】
加えて、上下方向において、下部収容部１３の底面と、底壁部５に対して上下に対向する仕切り板３の下面との間の距離については特に限定されるものではなく、保冷材１２の外周面が、挿通部１８に当接して水平方向への変位が規制されるように構成されていればよい。但し、保冷材１２の容器本体２の内側への傾倒変位をより好適に防止するべく、下部収容部１３の底面と、底壁部５に対して上下に対向する仕切り板３の下面との間の距離は、保冷材１２の上下幅の１／３以上、かつ、保冷材１２の上下幅以下とすることが望ましく、特に、上下方向において段部１７が１段のみの場合には、保冷材１２の上下幅の１／２以上であることがより好ましい。尚、保冷材１２が仕切り板３よりも上方に突出しないように構成することも可能である。
【００４５】
（ｂ）上記実施形態では、保冷材１２が各第１側壁部１４の内面に沿って設置されるように構成されているが、かかる構成に代えて、又は、加えて、各第２側壁部１５の内面に沿って保冷材１２を設置するように構成してもよい。さらに、底壁部５のうち側壁部６から離間した位置（例えば、平面視で底壁部５の中央部）において保冷材１２の下部を収容可能、かつ、当該保冷材１２の下部の水平方向における変位を規制する中間位置下部収容部を設けるとともに、仕切り板３において、中間位置下部収容部に下部が収容された保冷材１２の挿通を許容するとともに、当該保冷材１２の水平方向への変位を規制する中間位置挿通部を設けることとしてもよい。この場合、容器本体２の中央部側に配置されるボトル１１をより効果的に冷却することができる。
【００４６】
また、上記実施形態において、段部１７に支持された仕切り板３の水平方向における変位を規制する構成（規制手段）については特に限定されるものではなく、例えば、一対の第２側壁部１５に対し、容器本体２の内方及び上方に開口する凹部を設ける一方で、仕切り板３に対し、前記凹部に挿入される凸部を設けるように構成してもよい。さらに、上記実施形態では、段部１７が側壁部６の内周面の全周にわたって設けられているが、一対の第１側壁部１４、及び、一対の第２側壁部１５のうち少なくとも一方に設けられていればよい。
【００４７】
（ｃ）上記実施形態では、底壁部５の上面に対し、下部収容部１３と、物品下部収容部１６とを凹状に形成した上、下部収容部１３と、物品下部収容部１６との間を連通させるとともに、物品下部収容部１６を部分的に第２側壁部１５まで延在させるように構成されているが、下部収容部１３と、物品下部収容部１６との間を連通させないようにしたり、物品下部収容部１６を部分的に第２側壁部１５まで延在させないようにしたりすることとしてもよい。さらに、例えば、平坦な底壁部５の上面に対し、底壁部５の上面から上方に突出する突部を設けることにより、当該突部と、第１側壁部１４との間に下部収容部を形成することとしてもよい。
【００４８】
（ｄ）上記実施形態では、容器本体２、仕切り板３、及び、蓋部材４は発泡ポリプロピレンにより構成されているが、発泡ポリエチレン、発泡ポリスチレン等のその他の発泡樹脂材料により構成されることとしてもよい。また、仕切り板３を非発泡樹脂により構成することも可能であるが、発泡樹脂により構成することで、仕切り板３の下方の領域の温度管理をより好適に行うことができる。特に、上記実施形態のように、容器１に収容される物品（ボトル１１）の大部分が仕切り板３の下方領域に収容されるような構成においては、蓋部材４を装着することなく使用することも可能となる。
【００４９】
加えて、上記実施形態では、容器本体２に仕切り板３を装着し、かつ、保冷材１２を設置した状態で、容器本体２同士をネスティング可能に構成されているが、例えば、保冷材１２を設置したり、仕切り板３を装着したりした状態ではネスティング不可能な構成としてもよいし、容器本体２を上下に積み重ねた場合に、上側の容器本体２の底壁部５の下部のみが、下側の容器本体２の内側に挿入されるような（スタッキング可能な）構成としてもよいし、容器本体２同士を安定して積み重ねられないような構成としてもよい。
【符号の説明】
【００５０】
１…容器、２…容器本体、３…仕切り板、４…蓋部材、５…底壁部、６…側壁部、１１…ボトル、１２…保冷材、１３…下部収容部、１４…第１側壁部、１６…物品下部収容部、１７…段部、１８…挿通部、２１…上段規制部、２２…下段規制部、２３…物品挿通部。
【図１】
2019156472.tif 000003
【図２】
2019156472.tif 000004
【図３】
2019156472.tif 000005
【図４】
2019156472.tif 000006
【図５】
2019156472.tif 000007
【図６】
2019156472.tif 000008
【図７】
2019156472.tif 000009